(57)【要約】      （修正有）【課題】開封防止の機能を確実に備える包装箱を提供する。【解決手段】包装箱１０は、正面に設ける差込フラップ２０を備える蓋部１４と裏面１６に形成される蓋開封部１８とを有し、蓋開封部１８は、差込フラップ２０のスリット２０ａ，２０ｂ，２０ｃに挿入する頭部１８ａと、頭部１８ａに連続する首部１８ｂと、首部１８ｂに連続する切り離し部１８ｃからなる。首部１８ｂは頭部１８ａ及び切り離し部１８ｃの幅より小さく形成され頭部１８ａと切り離し部１８ｃの間に空間１９が設けられているとともに、差込フラップ２０のスリット２０ｂに首部１８ｂが嵌る嵌合溝が形成されている。蓋開封部１８の頭部１８ａをスリット２０ｂに差し込むと、首部１８ｂが嵌合溝に嵌り、頭部１８ａが嵌合溝と係合する。これにより、包装箱１０に確実に開封防止する機能を備えることが可能になる。【選択図】図３
2018065580.tif 000002
【特許請求の範囲】
【請求項１】
包装箱の正面に設ける差込フラップを備える蓋部と包装箱の裏面に形成される蓋開封部とを有し、蓋開封部は、差込フラップのスリットに挿入する頭部と、頭部に連続して形成される首部と、首部に連続して形成される切り離し部からなり、頭部と首部を包装箱の裏面にスリットで形成し、切り離し部をミシン目で形成するものであって、首部を頭部及び切り離し部の幅より小さく形成して頭部と切り離し部の間に空間を設けるとともに、差込フラップのスリットに首部が嵌る嵌合溝を形成することを特徴とする化粧箱。
【発明の詳細な説明】
【技術分野】
【０００１】
本発明は、商品の包装箱に関するものである。
【背景技術】
【０００２】
化粧箱など商品を包装した包装箱の蓋の部分には、商品を開封したことが分かるセキュリティシール（封止めに用いるラベルシール）が貼られている。しかし、セキュリティシールは、商品の包装箱に貼り付ける時間や労力がかかるという問題があった。
現在、上記問題を解決するバージンロック機能付きの包装箱が提供されている（特許文献１）。
【先行技術文献】
【特許文献】
【０００３】
【特許文献１】特開２０１１−５１６０６号公報
【発明の概要】
【発明が解決しようとする課題】
【０００４】
特許文献１の包装箱は、前板と後板と左右の側板からなる胴部と、前板の上縁に連設される蓋板と、蓋板の先端部に設けられる差込フラップとを有し、蓋板の差込フラップを後板の内側に差込み可能にし、後板の上縁の側の一部であって、後板のその他の部分から切取り可能に設けられた係止片と、蓋板の差込フラップに設けられてその幅方向へ延びるスリットとを有し、差込フラップを後板の内側に差込むとき、係止片の上端係止部を差込フラップの外側面からスリットに挿入し、係止片の上端係止部にスリットのエッジを係止させて蓋板を閉止可能にするとともに、蓋板の差込フラップのスリットのエッジと係止している係止片を後板のその他の部分から切取り、蓋板を開封可能にするものである。
【０００５】
特許文献１の包装箱は、蓋板のスリットの水平スリット部の下側エッジが係止片の上端係止部の水平切込部のエッジに係止されてバージンロックを形成するものであった。しかしながら、エッジ同士のみでの係止は、係止片の上端係止部を差込フラップの外側面からスリットに挿入したとき、係止されていない場合があり、またその係止が解除される場合があった。この場合、切取り可能部を後板から切り離さなくても、開封でき、開封防止の機能を果たすことができない場合があった。
【０００６】
本発明は、上記課題を解決するもので、開封防止の機能を確実に備える包装箱を提供することを目的とするものである。
【課題を解決するための手段】
【０００７】
本発明の包装箱は、包装箱の正面に設ける差込フラップを備える蓋部と包装箱の裏面に形成される蓋開封部とを有し、蓋開封部は、差込フラップのスリットに挿入する頭部と、頭部に連続して形成される首部と、首部に連続して形成される切り離し部からなり、頭部と首部を包装箱の裏面にスリットで形成し、切り離し部をミシン目で形成するものであって、首部を頭部及び切り離し部の幅より小さく形成して頭部と切り離し部の間に空間を設けるとともに、差込フラップのスリットに首部が嵌る嵌合溝を形成するようにしたものである。
【発明の効果】
【０００８】
本発明の包装箱は、首部が頭部及び切り離し部の幅より小さく形成し頭部と切り離し部の間に空間を設けるものである。頭部と切り離し部の間に設ける空間は、蓋部の差込フラップのスリット部分に蓋開封部の頭部を挿入した際、頭部は、差込フラップのスリットのエッジに係止させることなく、蓋部の裏に突き出て、首部が嵌合溝に嵌ることから、頭部を差込フラップのスリットから引き抜くことができなくなるため、開封防止の機能を確実に備えることが可能になる。
【図面の簡単な説明】
【０００９】
【図１】本発明の包装箱の展開図を表わす図である。
【図２】図１の包装箱の蓋部と蓋開封部を表わす図である。
【図３】図２の差込フラップのスリットに蓋開封部を差し込んだ状態を表わす図である。
【発明を実施するための形態】
【００１０】
本発明は、包装箱における蓋部の開封を防止することを実現するものである。
【実施例】
【００１１】
本発明の包装箱を図に基づいて説明する。図１は、本発明の包装箱の展開図を表わす図である。図２は、図１の包装箱の蓋部と蓋開封部を表わす図である。図３は、図２の差込フラップのスリットに蓋開封部を差し込んだ状態を表わす図であり、図（ａ）は図２の差込フラップのスリットに蓋開封部を差し込んだ状態を包装箱の裏面を表側から見た図、図（ｂ）は図２の差込フラップのスリットに蓋開封部を差し込んだ状態を包装箱の裏面を裏側から見た図である。
図１の包装箱１０は、紙材からなり、４つの側面を有する角柱状のものである。包装箱１０は、その正面１２に蓋部１４（天面）の差込フラップ２０と、裏面１６に蓋開封部１８を有するものである。差込フラップ２０には、蓋開封部１８を挿入するスリット２０ａ，２０ｂ，２０ｃが形成されている（図２及び図３）。
なお、蓋部１４を備える側面を本願において正面１２と称し、蓋開封部１８を形成する側面を本願において裏面１６と称するものとする。また、図において、スリット２０ａ，２０ｂ，２０ｃを表わす実線部は、差込フラップ２０に切り込まれている部分である。
包装箱１０において、蓋開封部１８、差込フラップ２０以外の部分は公知であるため、詳細な説明を省略する。
【００１２】
蓋開封部１８は、差込フラップ２０のスリット２０ａ，２０ｂ，２０ｃに挿入する頭部１８ａと、頭部１８ａに連続して形成される首部１８ｂと、首部１８ｂに連続して形成される切り離し部１８ｃから構成されている。頭部１８ａと首部１８ｂは包装箱１０の裏面１６にスリット（切り込み）で形成され、切り離し部１８ｃはミシン目で形成されている。
また、首部１８ｂは、頭部１８ａ及び切り離し部１８ｃの幅より小さく（又は狭く）形成されており、頭部１８ａと切り離し部１８ｃの間に空間１９が設けられる。さらに、頭部１８ａは、首部１８ｂから張り出すように形成される（以下、首部１８ｂから張り出す頭部１８ａを「張り出し部２２」という。）。
なお、図において、裏面１６に描かれている切り込みを表わす実線部は頭部１８ａ及び首部１８ｂを形成するものであり、ミシン目１６ａを表わす点線部は切り離し部１８ｃを形成するものである。
【００１３】
差込フラップ２０のスリット２０ｂには、首部１８ｂが嵌る嵌合溝２１が形成されている。スリット２０ａ，２０ｃは差込フラップ２０に水平に形成されており、スリット２０ｂ（差込フラップ２０のスリットの中央部分）は蓋部１４の反対方向に向けて隆起するように形成されている。嵌合溝２１は、差込フラップ２０のスリットの水平部分２０ａ，２０ｃと中央部分（隆起部分）２０ｂとにより形成される空間部である。
嵌合溝２１の幅Ｗ１は、首部１８ｂの幅Ｗ２と同一の幅もしくは幅Ｗ２より広くなるように設定されているものとする（Ｗ１≧Ｗ２）。
【００１４】
首部１８ｂは、頭部１８ａ及び切り離し部１８ｃの幅より小さく形成され、頭部１８ａと切り離し部１８ｃの間に空間１９が設けられている。これにより、差込フラップ２０のスリット２０ａ，２０ｂ，２０ｃに蓋開封部１８の頭部１８ａを挿入した際、頭部１８ａは、差込フラップ２０のスリット２０ａ，２０ｃのエッジに係止することなく、差込フラップ２０を突き抜ける。また、頭部１８ａが差込フラップ２０を突き抜けると、頭部１８ａの張り出し部２２は嵌合溝２１と係合する。すなわち、首部１８ｂが嵌合溝２１に嵌まり込む状態又は落ち込んだ状態になる（図３（ｂ））。首部１８ｂが嵌合溝２１に嵌ると、頭部１８ａは嵌合溝２１を形成するスリット２０ｂに係止する。蓋部１４を開けようとしても（又は差込フラップ２０を抜こうとしても）、頭部１８ａの幅Ｗ４が嵌合溝２１の幅Ｗ１より大きく（又は広く）形成されているため、頭部１８ａの張り出し部２２が嵌合溝２１に引っ掛かり、頭部１８ａはスリット２０ｂの隙間から抜け出ることはない。
このように、蓋開封部１８の頭部１８ａが差込フラップ２０の裏側に通り抜けると、首部１８ｂが嵌合溝２１に嵌り、頭部１８ａが嵌合溝２１と係合するため、蓋部１４及び差込フラップ２０を蓋開封部１８から引き抜いて開封しようとしても、蓋開封部１８の頭部１８ａは嵌合溝２１に引っ掛かりスリット２０ａから抜け出ることができなくなる（図３（ｂ））。これにより、包装箱１０に確実に開封を防止する機能を備えることが可能になる。
なお、蓋開封部１８の頭部１８ａの形状は、長軸が短軸より長い楕円形状が好ましいが、この形状に限るものではなく、首部１８ｂから張り出す張り頭部１８ａ（張り出し部２２）が設けられているものであればよい。
【００１５】
以上のように、本発明によると、頭部１８ａが差込フラップ２０のスリット２０ａ，２０ｃのエッジに係止することなく、頭部１８ａと嵌合溝２１とを係合させた状態で蓋部１４を閉じることができることから、包装箱１０に確実に開封を防止する機能を備えることができる。
なお、差込フラップ２０のスリット２０ａ，２０ｂ，２０ｃの幅Ｗ３は、蓋開封部１８の頭部１８ａの幅Ｗ４と同一の幅もしくは幅Ｗ４より広くなるように設定されているものとする（Ｗ３≧Ｗ４）。これにより、蓋開封部１８の頭部１８ａのスリット２０ａ，２０ｂ，２０ｃへの差込みを容易に行うことができる。
【００１６】
図１の包装箱１０において、蓋部１４を封する場合は、差込フラップ２０のスリット２０ａ，２０ｂ，２０ｃに蓋開封部１８の頭部１８ａを差し込みながら挿入し、差込フラップ２０を裏面１６の内側に差し込む。
他方、包装箱１０の蓋部１４を開封する場合は、裏面１６のミシン目１６ａに沿って切り離し部１８ｃを裏面１６から切り離す。裏面１６から切り離し部１８ｃを切り離すと、蓋部１４が開封される。再び差込フラップ２０を裏面１６の内側に差し込んで封をしても、蓋開封部１８の切り離し部１８ｃが裏面１６から切り離されていることから、包装箱１０がすでに開封されていることが明らかになる。
【００１７】
本発明によると、従来の包装箱において行われていたセキュリティシールの貼付は不要になり、貼付に時間や労力がかかるという問題を解消することができる。また、包装箱に開封を防止する機能を確実に備えることが可能になる。
【符号の説明】
【００１８】
１０  包装箱
１２  正面
１４  蓋部
１６  裏面
１６ａ  ミシン目
１８  蓋開封部
１８ａ  頭部
１８ｂ  首部
１８ｃ  切り離し部
１９  空間
２０  差込フラップ
２０ａ、２０ｂ、２０ｃ  スリット
２１  嵌合溝
【図１】
2018065580.tif 000003
【図２】
2018065580.tif 000004
【図３】
2018065580.tif 000005
【手続補正書】
【提出日】平成29年3月4日(2017.3.4)
【手続補正１】
【補正対象書類名】特許請求の範囲
【補正対象項目名】全文
【補正方法】変更
【補正の内容】
【特許請求の範囲】
【請求項１】
包装箱の正面に設ける差込フラップを備える蓋部と包装箱の裏面に形成される蓋開封部とを有し、蓋開封部は、差込フラップのスリットに挿入する頭部と、頭部に連続して形成される首部と、首部に連続して形成される切り離し部からなり、頭部と首部を包装箱の裏面にスリットで形成し、切り離し部をミシン目で形成するものであって、差込フラップのスリットの幅を蓋開封部の頭部の幅と同一の幅もしくはその幅より広く設け、首部を頭部及び切り離し部の幅より小さく形成して頭部と切り離し部の間に空間を設け、スリットで裏面から切り離された頭部及び首部を差込フラップのスリットに差し込んだとき首部が嵌まり込む又は落ち込む、首部の幅と同一幅もしくはその幅より広い幅の嵌合溝を差込フラップのスリットの中央部分に形成することにより、頭部を差込フラップのスリットの嵌合溝に係止させることを特徴とする化粧箱。
【手続補正２】
【補正対象書類名】明細書
【補正対象項目名】０００７
【補正方法】変更
【補正の内容】
【０００７】
本発明の包装箱は、包装箱の正面に設ける差込フラップを備える蓋部と包装箱の裏面に形成される蓋開封部とを有し、蓋開封部は、差込フラップのスリットに挿入する頭部と、頭部に連続して形成される首部と、首部に連続して形成される切り離し部からなり、頭部と首部を包装箱の裏面にスリットで形成し、切り離し部をミシン目で形成するものであって、差込フラップのスリットの幅を蓋開封部の頭部の幅と同一の幅もしくはその幅より広く設け、首部を頭部及び切り離し部の幅より小さく形成して頭部と切り離し部の間に空間を設け、スリットで裏面から切り離された頭部及び首部を差込フラップのスリットに差し込んだとき首部が嵌まり込む又は落ち込む、首部の幅と同一幅もしくはその幅より広い幅の嵌合溝を差込フラップのスリットの中央部分に形成することにより、頭部を差込フラップのスリットの嵌合溝に係止させるようにしたものである。